(57)【要約】【課題】ユーザーの利便性を向上させる画像読取装置、及び画像形成装置を提供する。【解決手段】画像形成装置１は、読取部２０と、解答抽出部１０３と、判定部１０４とを備える。読取部２０は、問題と、問題に対する解答が記入された解答欄とを含む答案用紙を読取って解答画像情報を生成する。解答抽出部１０３は、解答画像情報から、解答を示す解答情報を抽出する。判定部１０４は、問題に対する正解を示す正解情報と、解答情報とを比較して、問題に対する解答が正解であるか否かを判定する。【選択図】図３
2020068475.tif 000002
【特許請求の範囲】
【請求項１】
問題と、前記問題に対する解答が記入された解答欄とを含む答案用紙を読取って解答画像情報を生成する読取部と、
前記解答画像情報から、前記解答を示す解答情報を抽出する解答抽出部と、
前記問題に対する正解を示す正解情報と、前記解答情報とを比較して、前記問題に対する前記解答が正解であるか否かを判定する判定部と
を備える、画像読取装置。
【請求項２】
前記正解情報を記憶する正解記憶部と、
前記正解情報を前記正解記憶部に登録する正解登録部と
を更に備える、請求項１に記載の画像読取装置。
【請求項３】
前記読取部は、
前記解答欄に正解が記入された前記答案用紙を読取って正解画像情報を生成し、
前記答案用紙は前記解答欄の位置を示すマークを更に含み、
前記正解登録部は、
前記マークに基づいて、前記正解画像情報から前記正解情報を抽出し、
抽出した前記正解情報を前記正解記憶部に登録する、請求項２に記載の画像読取装置。
【請求項４】
前記読取部は、
前記解答欄が未記入の前記答案用紙を読取って未記入画像情報を生成し、
前記解答欄に正解が記入された前記答案用紙を読取って正解画像情報を生成し、
前記正解登録部は、
前記未記入画像情報と、前記正解画像情報とを比較して、前記正解画像情報から前記正解情報を抽出し、
抽出した前記正解情報を前記正解記憶部に登録する、請求項２に記載の画像読取装置。
【請求項５】
前記正解登録部は、外部記憶装置に記憶された前記正解情報を前記正解記憶部に登録する、請求項２に記載の画像読取装置。
【請求項６】
前記判定部が正解と判定した前記問題の数に基づいて、前記答案用紙を採点する採点部を更に備える、請求項１から請求項５のいずれか１項に記載の画像読取装置。
【請求項７】
前記答案用紙は、複数の科目の前記問題を含み、
前記採点部は、複数の科目の合計点を算出する、請求項６に記載の画像読取装置。
【請求項８】
前記答案用紙は、複数の科目の前記問題を含み、
前記採点部は、科目ごとの得点を算出する、請求項６に記載の画像読取装置。
【請求項９】
前記問題ごとに配点を設定する設定部を更に備える、請求項６に記載の画像読取装置。
【請求項１０】
複数の受験者の採点結果を集計して集計結果を生成する集計部を更に備える、請求項６から請求項９のいずれか１項に記載の画像読取装置。
【請求項１１】
前記採点結果に応じて受験者を等級分けする等級部を更に備える、請求項１０に記載の画像読取装置。
【請求項１２】
外部の情報処理端末と通信するための通信部を更に備え、
前記採点結果及び前記集計結果のうちの少なくとも一方を電子メールで前記情報処理端末に送信する、請求項１０又は請求項１１に記載の画像読取装置。
【請求項１３】
請求項１０から請求項１２のいずれか１項に記載の画像読取装置と、
前記採点結果及び前記集計結果のうちの少なくとも一方を示す画像を記録媒体に形成する画像形成部と
を備える、画像形成装置。
【発明の詳細な説明】
【技術分野】
【０００１】
本発明は、画像読取装置、及び画像形成装置に関する。
【背景技術】
【０００２】
試験の採点作業は、正確さと多大な労力とを必要とする。従来から、画像形成装置を使用して採点作業を補助することが検討されている。例えば、特許文献１に記載の画像形成装置は、複数の解答用紙の同じ解答欄だけを集約した解答集を利用して、採点作業を補助している。特許文献１に記載の画像形成装置は、具体的には、以下のようにして、採点作業を補助している。
【０００３】
特許文献１に記載の画像形成装置は、受験者の解答が記載された複数の解答用紙をスキャナーで読取って、複数の解答用紙から同じ解答欄だけを集約した解答集を作成し、解答集を印刷する。採点者が、解答集を採点する。特許文献１に記載の画像形成装置は、採点済みの解答集をスキャナーで読取って、採点済みの解答集を解答欄ごとに分離する。そして、特許文献１に記載の画像形成装置は、分離した解答欄を受験者ごとに集約して採点後の答案用紙を作成し、採点後の答案用紙を印刷する。
【先行技術文献】
【特許文献】
【０００４】
【特許文献１】特開２０１８−３７８３２号公報
【発明の概要】
【発明が解決しようとする課題】
【０００５】
特許文献１に記載の画像形成装置は、解答集を使用することによって、採点作業を効率化する。しかしながら、特許文献１に記載の画像形成装置を使用しても、解答の正否は採点者が判断しなければならない。したがって、特許文献１に記載の画像形成装置による労力の削減には限度がある。
【０００６】
本発明は、上記課題に鑑みてなされたものであり、試験の採点作業に係る労力を削減して、ユーザーの利便性を向上させる画像読取装置、及び画像形成装置を提供することを目的としている。
【課題を解決するための手段】
【０００７】
本発明に係る画像読取装置は、読取部と、解答抽出部と、判定部とを備える。前記読取部は、問題と、前記問題に対する解答が記入された解答欄とを含む答案用紙を読取って解答画像情報を生成する。前記解答抽出部は、前記解答画像情報から、前記解答を示す解答情報を抽出する。前記判定部は、前記問題に対する正解を示す正解情報と、前記解答情報とを比較して、前記問題に対する前記解答が正解であるか否かを判定する。
【０００８】
本発明に係る画像形成装置は、上記画像読取装置と、採点結果、及び／又は集計結果を示す画像を記録媒体に形成する画像形成部とを備える。
【発明の効果】
【０００９】
本発明の画像読取装置、及び画像形成装置によれば、ユーザーの利便性を向上できる。
【図面の簡単な説明】
【００１０】
【図１】本実施形態に係る画像形成装置の構成を示す図である。
【図２】（ａ）は、第１答案用紙を示す図である。（ｂ）は、第２答案用紙を示す図である。
【図３】本実施形態に係る画像形成装置のブロック図である。
【図４】本実施形態に係る画像形成装置に正解情報を登録するまでの動作を示すフローチャートである。
【図５】本実施形態に係る第１画面Ｇ１を示す図である。
【図６】本実施形態に係る第２画面Ｇ２を示す図である。
【図７】本実施形態に係る第３画面Ｇ３を示す図である。
【図８】本実施形態に係る画像形成装置が、受験者の解答が記入された答案用紙を採点して、集計したのち、出力するまでの動作を示すフローチャートである。
【図９】本実施形態に係る第４画面Ｇ４を示す図である。
【図１０】本実施形態に係る第５画面Ｇ５を示す図である。
【図１１】（ａ）は、受験者に送信される電子メールである。（ｂ）は、試験担当者に送信される電子メールである。
【発明を実施するための形態】
【００１１】
以下、本発明の実施形態について、図面（図１〜図１１）を参照しながら説明する。なお、図中、同一又は相当部分については同一の参照符号を付して説明を繰り返さない。
【００１２】
まず、図１を参照して、本実施形態に係る画像形成装置１について説明する。図１は、本実施形態に係る画像形成装置１の構成を示す図である。図１に示すように、本実施形態の画像形成装置１は、カラー複合機である。
【００１３】
画像形成装置１は、用紙Ｐに画像を形成する。用紙Ｐは、記録媒体の一例である。用紙Ｐは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１４】
図１に示すように、画像形成装置１は、操作部１０、読取部２０、原稿搬送部３０、通信部４０、給紙部５０、シート搬送部６０、画像形成部７０、及び制御部１００を備える。
【００１５】
操作部１０は、各種の画面を表示する。また、操作部１０は、ユーザーによる操作を受け付ける。具体的には、操作部１０は、タッチパネル１１を有する。タッチパネル１１は、ディスプレー１１ａ、及びタッチセンサー１１ｂを有する。
【００１６】
ディスプレー１１ａは、各種の画面を表示する。ディスプレー１１ａは、例えば、液晶ディスプレー、又は有機ＥＬ（ｅｌｅｃｔｒｏｌｕｍｉｎｅｓｃｅｎｃｅ）ディスプレーである。
【００１７】
タッチセンサー１１ｂは、作業者による操作を受け付ける。具体的には、タッチセンサー１１ｂは、ディスプレー１１ａの表示面に重畳するように配置されている。
【００１８】
読取部２０は、答案用紙等の原稿Ｄを読み取って、画像情報を生成する。原稿Ｄは、例えば、答案用紙である。読取部２０は、プラテン２１と、光源ユニット２２と、光学系２３と、撮像装置２４とを有する。プラテン２１は、典型的にはガラス製である。光源ユニット２２は、発光ダイオードのような光源と、反射ミラーとを備える。プラテン２１に載置された原稿Ｄに対し、光源ユニット２２は、副走査方向Ｘ１に沿って移動しながら光を照射し、原稿Ｄからの反射光を光学系２３に入射する。光学系２３は反射光を撮像装置２４に導き、撮像装置２４は、反射光を撮像して画像情報を生成する。撮像装置２４は、電荷結合素子のような撮像素子を含む。
【００１９】
原稿搬送部３０は、所定の原稿読取位置Ｒを通過するように原稿Ｄを搬送する。原稿搬送部３０は、原稿載置トレイ３１と、原稿搬送装置３２と、原稿排出トレイ３３とを有する。原稿載置トレイ３１に載置された原稿Ｄが、原稿搬送装置３２によって１枚ずつ原稿排出トレイ３３まで搬送される。
【００２０】
詳しくは、原稿搬送装置３２は、複数のガイド板と、複数の搬送ローラー対とを備える。複数のガイド板が所定の搬送経路を形成し、複数の搬送ローラー対は、所定の搬送経路に沿って配置される。複数の搬送ローラー対が回転することにより、原稿Ｄが搬送される。具体的には、原稿Ｄは、原稿読取位置Ｒを経由して、原稿排出トレイ３３まで搬送される。
【００２１】
原稿搬送部３０が原稿Ｄを搬送する場合、読取部２０の光源ユニット２２は、原稿読取位置Ｒに対向する位置に移動している。光源ユニット２２は、原稿読取位置Ｒを通過する原稿Ｄに対し、プラテン２１を介して光を照射する。この結果、原稿Ｄからの反射光が撮像装置２４まで導かれて、画像情報が生成される。
【００２２】
通信部４０は、ＬＡＮ（Ｌｏｃａｌ  Ａｒｅａ  Ｎｅｔｗｏｒｋ）のようなネットワークに接続して、各種情報を記憶するデータベースサーバーとの間、及びパーソナルコンピューターのような情報処理端末との間で通信を実行する。通信部４０は、データベースサーバーのようなサーバー装置との間で情報を送受信する。また、通信部４０は、パーソナルコンピューターのような情報処理端末へ向けて、電子メールを送信する。通信部４０は、例えば、ＬＡＮボードのようなネットワークインターフェイスである。
【００２３】
給紙部５０は、複数枚の用紙Ｐを収容し、用紙Ｐを１枚ずつシート搬送部６０へ給紙する。給紙部５０は、着脱可能なカセット５１を有する。カセット５１は、複数枚の用紙Ｐを収容する。
【００２４】
シート搬送部６０は、所定の搬送経路に沿って用紙Ｐを搬送する。シート搬送部６０は、排出トレイ６１と、複数のガイド板と、複数の搬送ローラー対とを有する。複数のガイド板が所定の搬送経路を形成し、複数の搬送ローラー対は、所定の搬送経路に沿って配置される。複数の搬送ローラー対が回転することにより、用紙Ｐが搬送される。詳しくは、用紙Ｐは、画像形成部７０を経由して、排出トレイ６１まで搬送される。
【００２５】
画像形成部７０は、シート搬送部６０によって搬送されている用紙Ｐに画像を形成する。具体的には、画像形成部７０は、制御部１００が生成した画像情報が示す画像を用紙Ｐに形成する。また、読取部２０が生成した画像情報に基づく画像を用紙Ｐに形成する。
【００２６】
画像形成部７０は、電子写真方式によって用紙Ｐに画像を形成し、画像を加熱及び加圧して用紙Ｐに画像を定着させる。具体的には、画像形成部７０は、感光体ドラムと、帯電装置と、露光装置と、現像装置と、転写装置と、除電装置と、定着装置とを有し、トナーを用いて用紙Ｐにトナー画像を形成する。
【００２７】
制御部１００は、画像形成装置１の各部を制御する。制御部１００は、プロセッサー、及び制御記憶部を備える。
【００２８】
制御部１００のプロセッサーは、制御記憶部に記憶された制御プログラムを実行することによって、数値計算、情報処理、及び機器制御のような処理をする。制御部１００のプロセッサーは、例えば、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）である。
【００２９】
制御部１００の制御記憶部は、制御プログラム、及び各種の情報を記憶する。制御記憶部は、例えば、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）等によって構成される。
【００３０】
次に、図２〜図３を参照して、制御部１００の構成について説明する。図２（ａ）は、第１答案用紙Ｐ１の一例を示す図である。図２（ｂ）は、第２答案用紙Ｐ２の一例を示す図である。
【００３１】
第１答案用紙Ｐ１は、正解が記入された答案用紙である。第１答案用紙Ｐ１は、試験欄Ｋと、受験者欄Ｎ、問題欄Ｑ、解答欄Ａとを有する。
【００３２】
試験欄Ｋは、試験を特定する欄である。試験欄Ｋは、科目欄Ｋ１、及び試験番号欄Ｋ２を有する。科目欄Ｋ１は、試験科目を示す欄である。図２（ａ）において、科目欄Ｋ１は、試験科目が「数学」であることを示す。試験番号欄Ｋ２は、同じ試験科目における試験の通し番号を示す欄である。図２（ａ）において、試験番号欄Ｋ２は、試験の通し番号が「試験番号００１」であることを示す。
【００３３】
受験者欄Ｎは、受験者を特定する欄である。受験者欄Ｎは、受験番号欄Ｎ１、及び氏名欄Ｎ２を有する。受験番号欄Ｎ１と氏名欄Ｎ２には下線が引かれている。受験番号欄Ｎ１は、受験者ごとに決められた受験番号を記入する欄である。図２（ａ）において、受験番号欄Ｎ１は、「未記入」であることを示す。氏名欄Ｎ２は、受験者の氏名を記入する欄である。図２（ａ）において、氏名欄Ｎ２は、「未記入」であることを示す。
【００３４】
問題欄Ｑは、問題を記載する欄である。問題欄Ｑは、第１問欄Ｑ１、及び第２問欄Ｑ２を有する。第１問欄Ｑ１は、第１問の内容を記載している。図２（ａ）において、第１問欄Ｑ１は、第１問が「３／２０を百分率で表わせば？」であることを示す。第２問欄Ｑ２は、第２問の内容を記載している。図２（ａ）において、第２問欄Ｑ２は、第２問が「１０パーセントを小数で表せば？」であることを示す。なお、問題欄Ｑは、第２問欄Ｑ２以降に複数の問題欄を有している。
【００３５】
解答欄Ａは、問題に対する解答を記入する欄である。第１答案用紙Ｐ１は、正解が記入された答案用紙であるので、解答欄Ａには正解が記入されている。解答欄Ａは、第１解答欄Ａ１、及び第２解答欄Ａ２を有する。第１解答欄Ａ１と第２解答欄Ａ２には、マークである下線が引かれている。第１解答欄Ａ１は、第１問欄Ｑ１に対する解答を記入する欄である。図２（ａ）において、第１解答欄Ａ１は、第１問欄Ｑ１の正解が「１５％」であることを示す。第２解答欄Ａ２は、第２問欄Ｑ２に対する解答を記入する欄である。図２（ａ）において、第２解答欄Ａ２は、第２問欄Ｑ２の正解が「０．１」であることを示す。なお、解答欄Ａは、問題欄Ｑの数に応じて、正解が記入された複数の解答欄を有している。
【００３６】
第２答案用紙Ｐ２は、受験者が解答を手書きで記入した答案用紙である。図２（ａ）と図２（ｂ）とが示すように、第２答案用紙Ｐ２の受験者欄Ｎ、及び解答欄Ａは、第１答案用紙Ｐ１の受験者欄Ｎ、及び解答欄Ａと異なる。
【００３７】
第２答案用紙Ｐ２の受験者欄Ｎには、受験番号と氏名が記入されている。受験番号欄Ｎ１には、受験者の受験番号が記載されている。図２（ｂ）において、受験番号欄Ｎ１は、受験番号が「１０３９４」であることを示す。図２（ｂ）において、氏名欄Ｎ２は、受験者の氏名が「山田  太郎」であることを示す。
【００３８】
第２答案用紙Ｐ２の解答欄Ａには、受験者による解答が記入されている。図２（ｂ）において、第１解答欄Ａ１は、第１問に対して受験者の記入した解答が「８％」であることを示す。図２（ｂ）において、第２解答欄Ａ２は、第２問に対して受験者の記入した解答が「０．１％」であることを示す。
【００３９】
次に、図３を参照して、本実施形態の制御部１００の構成について説明する。図３は、本実施形態の画像形成装置１の構成を示すブロック図である。図３に示すように、画像形成装置１は、ネットワーク２を介して、データベースサーバー３、及び情報処理端末４と情報の送受信が可能である。
【００４０】
データベースサーバー３は、答案用紙の採点と関連する情報を記憶するデータベースを有する。データベースは、例えば、受験者の氏名、受験番号、受験者のメールアドレス、及び現在に至るまでの成績を記憶している。情報処理端末４は、受験者、又は試験担当者が使用するパーソナルコンピューターである。
【００４１】
制御部１００は、正解記憶部１０１、正解登録部１０２、解答抽出部１０３、判定部１０４、採点部１０５、設定部１０６、集計部１０７、等級部１０８、及び出力部１０９を有する。
【００４２】
具体的には、制御部１００のプロセッサーは、制御プログラムを実行することによって、正解記憶部１０１、正解登録部１０２、解答抽出部１０３、判定部１０４、採点部１０５、設定部１０６、集計部１０７、等級部１０８、及び出力部１０９として機能する。
【００４３】
また、正解記憶部１０１、正解登録部１０２、解答抽出部１０３、判定部１０４、採点部１０５、設定部１０６、集計部１０７、等級部１０８、及び出力部１０９は、連携して採点用アプリケーションプログラムとして機能する。
【００４４】
正解記憶部１０１は、問題に対する正解を示す正解情報を記憶する。正解情報は、例えば、正解を示す情報、及び解答欄の位置情報である。正解を示す情報は、例えば、「１５％」である。また、解答欄の位置情報は答案用紙上の位置を示す情報である。解答欄の位置情報は、例えば、「用紙の上端から５ｃｍ〜６ｃｍの間、用紙の左端から２ｃｍ〜４ｃｍの間」である。正解記憶部１０１は、科目欄Ｋ１に記載の科目ごと、及び試験番号欄Ｋ２に記載の試験番号ごとに、正解情報を記憶する。
【００４５】
正解登録部１０２は、正解情報を正解記憶部１０１に登録する。正解登録部１０２は、例えば、読取部２０、及び第１答案用紙Ｐ１を使用して、正解記憶部１０１に正解情報を登録する。
【００４６】
まず、読取部２０が、解答欄に正解が記入された第１答案用紙Ｐ１を読取って、正解画像情報を生成する。第１答案用紙Ｐ１の第１解答欄Ａ１、及び第２解答欄Ａ２には、図２において既に説明したように、下線が引かれている。正解登録部１０２は、下線に基づいて、正解が記載されている部分の位置を特定する。正解登録部１０２は、例えば、文字認識処理、自然言語処理を使用して、正解が記載されている部分の画像情報から正解情報を抽出する。正解登録部１０２は、正解情報を正解記憶部１０１に登録する。
【００４７】
また、正解登録部１０２は、未記入の答案用紙、及び第１答案用紙Ｐ１を使用して、正解記憶部１０１に正解情報を登録してもよい。未記入の答案用紙は、第１答案用紙Ｐ１の第１解答欄Ａ１、及び第２解答欄Ａ２に正解が記入されていない答案用紙である。
【００４８】
まず、読取部２０が、未記入の前記答案用紙を読取って未記入画像情報を生成する。また、読取部２０が、第１答案用紙Ｐ１を読取って正解画像情報を生成する。正解登録部１０２は、未記入画像情報と、正解画像情報とを比較して、正解が記載されている部分の位置を特定する。正解登録部１０２は、例えば、文字認識処理、又は自然言語処理を実行して、正解が記載されている部分の画像情報から正解情報を抽出する。正解登録部１０２は、正解情報を正解記憶部１０１に登録する。
【００４９】
更に、正解登録部１０２は、外部記憶装置に記憶された正解情報を正解記憶部１０１に記憶さてもよい。具体的には、正解登録部１０２は、例えば、ＵＳＢ（Ｕｎｉｖｅｒｓａｌ  Ｓｅｒｉａｌ  Ｂｕｓ）メモリー、外付けＨＤＤ、又は外部のサーバー装置が記憶している正解情報を、正解記憶部１０１に記憶させてもよい。
【００５０】
解答抽出部１０３は、解答を示す解答情報を解答画像情報から抽出する。解答画像情報は、受験者の解答が記入された答案用紙である第２答案用紙Ｐ２から、読取部２０が生成した画像情報である。解答抽出部１０３は、正解記憶部１０１が記憶する解答欄の位置情報に基づいて、解答画像情報から解答が記載されている部分の画像情報を切り出す。解答抽出部１０３は、例えば、文字認識処理、又は自然言語処理を実行して、切り出した画像情報から解答情報を抽出する。解答抽出部１０３は、解答情報を判定部１０４に送信する。解答情報は、例えば、「８％」である。
【００５１】
判定部１０４は、解答抽出部１０３から解答情報を受信する。判定部１０４は、受信した解答情報に対応する正解情報を正解記憶部１０１から検索する。判定部１０４は、正解情報と、解答情報とを比較して、問題に対する解答が正解であるか否かを判定する。具体的には、正解情報と、解答情報とが同一の場合は、正解であると判定する。反対に、正解情報と、解答情報とが同一でない場合には、不正解であると判定する。判定部１０４は、判定結果を採点部１０５に送信する。
【００５２】
採点部１０５は、判定部１０４が正解と判定した問題の数に基づいて、答案用紙を採点する。具体的には、採点部１０５は、判定部１０４から送信された判定結果のうち、正解の数を算出する。採点部１０５は、正解の数に基づいて、答案用紙を採点する。採点結果は、例えば、「２３／２５点」である。採点部１０５は、採点結果を集計部１０７に送信する。
【００５３】
採点部１０５は、問題に応じて配点を変えてもよい。例えば、容易な問題には点数を少なく配点し、難解な問題には点数を多く配点してもよい。問題に応じて配点を変えた場合、採点部１０５は、正解した問題の配点に応じて答案用紙を採点する。
【００５４】
答案用紙は、複数の科目の問題を含んでいてもよい。例えば、数学と、科学とが同一の答案用紙に記載されていてもよい。この場合、採点部１０５は、複数の科目の合計点を算出し、科目ごとの得点を算出する。合計点は、例えば、５０５点である。科目ごとの得点は、例えば、「数学  ２３／２５点、科学  １３／２５点、・・・」である。
【００５５】
設定部１０６は、採点部１０５が採点する問題の配点等を設定する。設定部１０６は、具体的には、問題によって配点が異なるように採点部１０５を設定する。例えば、設定部１０６は、「数学の第１３番目の問題の配点は５点」、「科学の７番目の問題の配点は３点」、及び「それ以外の問題は１点」となるように採点部１０５の配点を設定する。
【００５６】
集計部１０７は、採点部１０５から採点結果を受信し、受験者ごとの採点結果を集計して集計結果を生成する。集計結果は、例えば、名前順、点数順のような順番に基づいて、複数の受験者の採点結果を並べなおした表である。集計結果は、例えば、複数の受験者の成績の比較、再試験者の特定に利用する。
【００５７】
等級部１０８は、採点結果に応じて受験者を等級分けする。等級分けとは、例えば、受験者を「Ａ〜Ｅ」、及び「５〜１」の五段階、又は「優、良、可、不可」の４段階に分けることである。採点結果は、集計結果に記載する。
【００５８】
出力部１０９は、採点結果、及び／又は集計結果を外部に出力する。具体的には、採点結果、及び／又は集計結果を電子メール、及び／又は印刷によって外部に出力する。電子メールアドレス等の各種情報は、ネットワーク２を介してデータベースサーバー３から入手する。出力された電子メールは、ネットワーク２を介して、受験者、及び試験担当者の情報処理端末４に送信される。また、印刷による出力は、画像形成部７０が用紙Ｐに印刷することにより実行する。
【００５９】
次に、図４〜図１１を参照して、本実施形態の画像形成装置１の動作について説明する。
【００６０】
まず、図４〜図７を参照して、画像形成装置１に正解情報を登録する動作について説明する。図４は、画像形成装置１に正解情報を登録するまでの動作を示すフローチャートである。
【００６１】
図４に示す動作は、試験担当者が、画像形成装置１にログインして、採点用アプリケーションプログラムを立ち上げることによって開始する。採点用アプリケーションプログラムが立ち上がると、ディスプレー１１ａに第１画面が表示されるように、制御部１００がディスプレー１１ａを制御する。第１画面については、図５を参照して後に説明する。
【００６２】
ステップＳ１０１において、第１画面の表示中に、試験担当者が「正解の登録」を選択すると、ディスプレー１１ａに第２画面が表示されるように、制御部１００がディスプレー１１ａを制御する。第２画面については、図６を参照して後に説明する。動作はステップＳ１０２に進む。
【００６３】
ステップＳ１０２において、第２画面表示中に、試験担当者が「ファイル名／試験名」、及び「パスワード」を入力する。動作はステップＳ１０３に進む。
【００６４】
ステップＳ１０３において、第２画面表示中に、試験担当者が原稿搬送部３０に解答が記入された答案用紙を載置する。正解が記入された答案用紙を読取部２０が読取るように、試験担当者が操作部１０を操作する。読取部２０は、正解画像情報を生成する。動作はステップＳ１０４に進む。
【００６５】
ステップＳ１０４において、正解登録部１０２は、ファイル名／試験名、パスワード、及び正解情報を正解記憶部１０１に登録する。制御部１００は、ディスプレー１１ａに第３画面が表示されるように、ディスプレー１１ａを制御する。第３画面については、図７を参照して後に説明する。動作はステップＳ１０５に進む。
【００６６】
ステップＳ１０５において、第３画面表示中に、試験担当者が配点の設定等を入力すると、設定部１０６が採点部１０５の配点を設定する。図４に示す動作は完了し、登録した正解用紙に基づく採点が可能になる。
【００６７】
図５〜図７を参照して、画像形成装置１のディスプレー１１ａに表示される画面について説明する。
【００６８】
図５は第１画面Ｇ１を示す。第１画面Ｇ１は、採点用アプリケーションプログラムが立ち上がった時に表示される画面である。図５に示すように、第１画面Ｇ１は、「正解の登録」キーＧ１１、及び「採点」キーＧ１２を表示する。「正解の登録」キーＧ１１、及び「採点」キーＧ１２は、ソフトキーである。
【００６９】
試験担当者が、「正解の登録」キーＧ１１を押した場合、採点用アプリケーションプログラムは、正解が記入された答案用紙を登録するモードで起動する。一方で、「採点」キーＧ１２を押した場合、採点用アプリケーションプログラムは、解答が記入された答案用紙を採点するモードで起動する。
【００７０】
図６は第２画面Ｇ２を示す。第２画面Ｇ２は、正解答案用紙を登録する画面である。図６に示すように、第２画面Ｇ２は、入力欄Ｇ２１と、「キャンセル」キーＧ２２と、「開始」キーＧ２３とを表示する。「キャンセル」キーＧ２２、及び「開始」キーＧ２３はソフトキーである。
【００７１】
入力欄Ｇ２１は、対象となる試験名とパスワードとを入力する欄である。入力欄Ｇ２１は、「ファイル名／試験名」欄Ｇ２１１、及びパスワード欄Ｇ２１２を表示する。「ファイル名／試験名」欄Ｇ２１１は、正解画像として登録されるファイルのファイル名又は試験名を記入する欄である。パスワード欄Ｇ２１２は、ファイルを閲覧するための閲覧のパスワードを記入する欄である。試験の完了前に試験の正解が不正に流出するのを防ぐため、パスワードによりファイルの閲覧が制限されている。図６において、入力欄Ｇ２１は、「ファイル名／試験名」が「数学  試験番号００１」であり、パスワードが「６３９４」であることを示す。
【００７２】
試験担当者が「キャンセル」キーＧ２２を押した場合、正解登録部１０２は正解を正解記憶部１０１に記憶させない。反対に、試験担当者が、正解の記入されている答案用紙を原稿載置トレイ３１に載置して、「開始」キーＧ２３を押せば、読取部２０が正解の記入されている答案用紙を読取って正解画像情報を生成する。正解登録部１０２は、正解画像情報から正解情報を抽出し、正解情報を正解記憶部１０１に登録する。
【００７３】
図７は第３画面Ｇ３を示す。第３画面Ｇ３は、配点等を設定する画面である。図７に示すように、第３画面Ｇ３は、「スキャン結果」欄Ｇ３１と、配点設定欄Ｇ３２と、まとめ欄Ｇ３３と、「キャンセル」キーＧ３４と、「登録」キーＧ３５とを表示する。「キャンセル」キーＧ３４、及び「登録」キーＧ３５はソフトキーである。
【００７４】
「スキャン結果」欄Ｇ３１は、正解記憶部１０１が記憶している試験科目、試験番号、問題数等を表示する欄である。「スキャン結果」欄Ｇ３１は、表示欄Ｇ３１１と、スクロールバーＧ３１２とを表示する。表示欄Ｇ３１１は、試験科目、試験番号、問題数等を表示する欄である。スクロールバーＧ３１２は、表示欄Ｇ３１１の表示領域を変更して、一度に表示できない情報を表示するためのスクロールバーである。図７において、「スキャン結果」欄Ｇ３１は、「数学  試験番号００１」の問題数が「２５問」であることを示す。
【００７５】
配点設定欄Ｇ３２は、配点を設定する欄である。配点設定欄Ｇ３２は、「傾斜配点」ボックスＧ３２１と、「試験名」欄Ｇ３２２と、「問題番号」欄Ｇ３２３と、「全て」ボックスＧ３２４と、「配点」欄Ｇ３２５と、「キャンセル」キーＧ３２６と、「登録」キー３２７とを表示する。「キャンセル」キーＧ３２６、及び「登録」キー３２７は、ソフトキーである。
【００７６】
「傾斜配点」ボックスＧ３２１は、配点を初期設定から変更するか否かを示すチェックボックスである。初期設定は、例えば、１点／１問である。「傾斜配点」ボックスＧ３２１がチェックされていれば、特定の問題について配点を変更することを示す。反対に、「傾斜配点」ボックスＧ３２１がチェックされていなければ、配点を初期設定のまま変更しないことを示す。図７において、「傾斜配点」ボックスＧ３２１は、配点を初期設定から変更することを示す。
【００７７】
「試験名」欄Ｇ３２２は、配点を変更する試験名を設定するためのドロップダウンリストである。図７において、「試験名」欄Ｇ３２２は、「数学  試験番号００１」の配点を初期設定から変更することを示す。
【００７８】
「問題番号」欄Ｇ３２３は、「試験名」欄Ｇ３２２に記載の試験に含まれる問題のうち、配点を変更する問題の番号を記入するテキストボックスである。図７において、「問題番号」欄Ｇ３２３は、第１３問の配点を変更することを示す。
【００７９】
「全て」ボックスＧ３２４は、「試験名」欄Ｇ３２２に記載の試験に含まれる問題の全ての配点を変更するか否かを示すチェックボックスである。「全て」ボックスＧ３２４がチェックされていれば、「試験名」欄Ｇ３２２に記載の試験に含まれる問題の全ての配点を変更する。反対に、「全て」ボックスＧ３２４がチェックされていなければ、「試験名」欄Ｇ３２２に記載の試験に含まれる問題の配点の一部を変更する。図７において、「全て」ボックスＧ３２４は、全ての問題の配点を変更するのではなく、一部の問題の配点を変更することを示す。
【００８０】
「配点」欄Ｇ３２５は、「問題番号」欄Ｇ３２３に記載された問題の配点を記入する欄である。図７において、「配点」欄Ｇ３２５は、第１３問の配点を５点に変更することを示す。
【００８１】
試験担当者が「キャンセル」キーＧ３２６を押した場合、設定部１０６は配点の変更を採点部１０５に設定しない。反対に、試験担当者が「登録」キーＧ３２７を押した場合、設定部１０６は配点の変更を採点部１０５に設定する。
【００８２】
まとめ欄Ｇ３３は、採点方法のまとめを記載する欄である。まとめ欄Ｇ３３は、「問題の総数」欄Ｇ３３１と、「合計点」欄Ｇ３３２欄と、「等級分けの方法」欄Ｇ３３３とを表示する。
【００８３】
「問題の総数」欄Ｇ３３１は、正解記憶部１０１に記憶されている複数の科目の問題の総数を示す。「問題の総数」欄Ｇ３３１は、正解記憶部１０１の記憶に基づいて記載される。図７において、「問題の総数」欄Ｇ３３１は、複数の科目の問題の総数が５００問であることを示す。
【００８４】
「合計点」欄Ｇ３３２は、正解記憶部１０１に記憶されている複数の科目に対する点数の合計点を示す。「合計点」欄Ｇ３３２は、配点設定欄Ｇ３２に基づいて、変更される。図７において、「合計点」欄Ｇ３３２は、複数の科目の合計点が５０５点であることを示す。
【００８５】
「等級分けの方法」欄Ｇ３３３は、受験者の等級分け方法を設定するためのドロップダウンリストである。図７において、「等級分けの方法」欄Ｇ３３３は、等級分けの方法として「文字による等級分け」を選択したことを示す。「文字による等級分け」は、例えば「Ａ〜Ｅ」の五段階により等級分けすることである。
【００８６】
試験担当者が「キャンセル」キーＧ３４を押した場合、設定部１０６は第３画面Ｇ３で設定した内容を採点部１０５に設定しない。反対に、試験担当者が「登録」キーＧ３５を押した場合、設定部１０６は第３画面Ｇ３で設定した内容を採点部１０５に設定する。
【００８７】
次に、図８〜図１１を参照して、受験者の解答が記入された答案用紙を画像形成装置１が採点して、集計したのち、出力するまでの動作について説明する。
【００８８】
図８は、画像形成装置１が、受験者の解答が記入された答案用紙を採点して、集計したのち、出力するまでの動作を示すフローチャートである。
【００８９】
図８に示す動作は、試験担当者が画像形成装置１にログインして、採点用アプリケーションプログラムを立ち上げることによって開始する。採点用アプリケーションプログラムが立ち上がると、図５で既に説明した第１画面がディスプレー１１ａに表示されるように、制御部１００がディスプレー１１ａを制御する。
【００９０】
ステップＳ２０１において、第１画面の表示中に、試験担当者が「採点」キーＧ１２を押して「採点」を選択すると、ディスプレー１１ａに第４画面が表示されるように、制御部１００がディスプレー１１ａを制御する。第４画面については、図９を参照して後に説明する。動作はステップＳ２０２に進む。
【００９１】
ステップＳ２０２において、第４画面表示中に、試験担当者が採点対象の試験を選択する。試験担当者が採点対象の試験を選択すると、ディスプレー１１ａに第５画面が表示されるように、制御部１００がディスプレー１１ａを制御する。第５画面については、図１０を参照して後に説明する。動作はステップＳ２０３に進む。
【００９２】
ステップＳ２０３において、第５画面表示中に、試験担当者が採点結果の出力方法を選択する。動作はステップＳ２０４に進む。
【００９３】
ステップＳ２０４において、第５画面表示中に、試験担当者が原稿搬送部３０に解答が記入された答案用紙を載置する。試験担当者が、解答が記入された答案用紙を読取部２０が読取るように操作部１０を操作する。読取部２０が、解答が記入された答案用紙を読取って、解答画像情報を生成する。動作はステップＳ２０５に進む。
【００９４】
ステップＳ２０５において、解答抽出部１０３が解答画像情報から解答情報を抽出する。判定部１０４が、抽出された解答情報と、正解記憶部１０１が記憶している正解情報とを比較して、問題に対する前記解答が正解であるか否かを判定する。採点部１０５が、判定結果に基づいて、解答が記入された答案用紙を採点する。採点部１０５が採点結果を集計部１０７、及び出力部１０９に送信する。動作はステップＳ２０６に進む。
【００９５】
ステップＳ２０６において、集計部１０７が採点結果を受信する。集計部１０７が、受信した採点結果を受験者ごとに集計して集計結果を生成する。等級部１０８は、集計結果に記載の採点結果に応じて受験者を等級分けする。集計部１０７は集計結果を出力部１０９に送信する。動作はステップＳ２０７に進む。
【００９６】
ステップＳ２０７において、出力部１０９は、採点結果、及び／又は集計結果を受信して、採点結果、及び／又は集計結果を外部装置に電子メールで送信する。電子メールの送信に必要な電子メールアドレス、電子メールの定型文は、出力部１０９がデータベースサーバー３から入手する。
【００９７】
具体的には、出力部１０９は、採点結果を各受験者に電子メールで送信する。受験者に送信される電子メールについては、図１１（ａ）を参照して後に説明する。また、出力部１０９は、集計結果を試験担当者に電子メールで送信する。試験担当者に送信される電子メールについては、図１１（ｂ）を参照して後に説明する。図８に示す動作は完了し、受験者は採点結果を受け取り、試験担当者は試験の採点結果を受け取る。
【００９８】
図９〜図１１を参照して、画像形成装置１のディスプレー１１ａ、受験者の情報処理端末、及び試験担当者の情報処理端末に表示される画面について説明する。
【００９９】
図９は、第４画面Ｇ４を示す。第４画面Ｇ４は、採点対象となる試験を選択する画面であり、画像形成装置１のディスプレー１１ａに表示される。
【０１００】
図９に示すように、第４画面Ｇ４は、表示欄Ｇ４１と、スクロールバーＧ４２と、「再設定」キーＧ４３と、「ＯＫ」キーＧ４４とを表示する。「キャンセル」キーＧ４３、及び「ＯＫ」キーＧ４４は、ソフトキーである。
【０１０１】
表示欄Ｇ４１は、採点対象となる試験を選択するためのリストボックスである。一つ又は複数の試験を採点対象となる試験として選択することができる。図９において、表示欄Ｇ４１は、採点対象として「数学  試験番号００１」が選択されたことを示す。スクロールバーＧ４２は、表示欄Ｇ４１の表示領域を変更して、一度に表示できない情報を表示するためのスクロールバーである。
【０１０２】
試験担当者が「キャンセル」キーＧ４３を押した場合、表示欄Ｇ４１での選択が無効になり、採点対象を再度設定する必要がある。反対に、試験担当者が「ＯＫ」キーＧ４４を押した場合、採点部１０５は採点対象が表示欄Ｇ４１で選択された試験であるとして採点する。
【０１０３】
図１０は、第５画面Ｇ５を示す。第５画面Ｇ５は、出力方法を選択する画面であり、画像形成装置１のディスプレー１１ａに表示される。
【０１０４】
図１０に示すように、第５画面Ｇ５は、並べ方欄Ｇ５１、及び出力方法欄Ｇ５２と、「キャンセル」キーＧ５３と、「ＯＫ」キーＧ５４とを表示する。「キャンセル」キーＧ５３、及び「ＯＫ」キーＧ５４は、ソフトキーである。
【０１０５】
並べ方欄Ｇ５１は、集計結果において「成績順」、「名前順」、又は「受験番号順」のどの順番で複数の受験者を並べるかを設定するためのラジオボタンである。図１０において、並べ方欄Ｇ５１は、受験者を成績順で並べることを示す。
【０１０６】
出力方法欄Ｇ５２は、「送信、及び印刷」、「送信のみ」、「印刷のみ」のどの方法で出力するかを設定するためのラジオボタンである。図１０において、出力方法欄Ｇ５２は、「送信のみ」で出力することを示す。
【０１０７】
図１１（ａ）は、受験者に送信される電子メールＭ１を示す画面であり、受験者の情報処理端末の表示装置に表示される。
【０１０８】
電子メールＭ１は、宛名Ｍ１１と、定型文Ｍ１２と、採点結果Ｍ１３とを表示する。宛名Ｍ１１は電子メールＭ１の宛先である受験者の氏名を示す。図１１（ａ）において、宛名Ｍ１１は、電子メールＭ１の宛先が「山田  太郎」であることを示す。定型文Ｍ１２は受験者に送られる電子メールＭ１の定型文を示す。図１１（ａ）において、定型文Ｍ１２は、定型文「中間テストの採点結果をご連絡します。」を示す。採点結果Ｍ１３は、受験者ごとの採点結果を示す。図１１（ａ）において、採点結果Ｍ１３は、「数学  試験番号００１」の点数が「２３／２５点」であることなどの採点結果を示す。
【０１０９】
図１１（ｂ）は、試験担当者に送信される電子メールＭ２を示す画面であり、試験担当者の情報処理端末の表示装置に表示される。
【０１１０】
電子メールＭ２は、宛名Ｍ２１と、定型文Ｍ２２と、集計結果Ｍ２３とを表示する。宛名Ｍ２１は電子メールＭ２の宛先を示す。図１１（ｂ）において、宛名Ｍ２１は、電子メールＭ２の宛先が試験担当者であることを示す。定型文Ｍ２２は試験担当者に送られる電子メールＭ２の定型文を示す。図１１（ｂ）において、定型文Ｍ２２は、定型文「中間テストの集計結果をご連絡します。」を示す。集計結果Ｍ２３は、集計結果を等級別に並べた結果を示す。図１１（ｂ）において、集計結果Ｍ２３は、成績が５番目の受験生は、氏名が「山田  太郎」、受験番号が「１０３９４」、採点結果が「８０／１００」、等級が「Ａ」であることを示す。
【０１１１】
図１〜図１１に示すように、本実施形態の画像形成装置１は、人手を使用せずに、解答が記入された答案用紙を採点する。そのため、画像形成装置１のユーザーである試験担当者の利便性を向上できる。
【０１１２】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（５））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【０１１３】
（１）図１〜図１１を参照して説明したように、本実施形態では、画像形成装置１はカラー複合機であるが、本発明はこれに限定されない。本発明は、モノクロ複合機でもよいし、カラースキャナー又はモノクロスキャナーであってもよい。
【０１１４】
（２）本実施形態では、画像形成装置１は、電子写真方式の複合機であったが、本発明はこれに限定されない。画像形成装置１は、例えば、インクジェット記録方式の複合機であってもよい。
【０１１５】
（３）本実施形態では、正解情報は正解記憶部１０１に記憶されていたが、本発明はこれに限定されない。例えば、データベースサーバー３が正解情報を記憶しており、解答の正否を判定するたびに正解情報をデータベースサーバー３から送信してもよい。
【０１１６】
（４）本実施形態では、画像形成装置１の設定は、操作部１０により行っていたが、本発明はこれに限定されない。例えば、試験担当者の情報処理端末から、正解の登録、配点の登録等を設定してもよい。
【０１１７】
（５）本実施形態では、採点結果及び集計結果は、電子メールにより出力されていたが、本発明はこれに限定されない。採点結果及び集計結果を画像形成部７０により用紙Ｐに印刷してもよい。
【産業上の利用可能性】
【０１１８】
本発明は、画像読取装置、及び画像形成装置に利用可能である。
【符号の説明】
【０１１９】
１      画像形成装置
１０    操作部
２０    読取部
４０    通信部
５０    給紙部
６０    シート搬送部
７０    画像形成部
１００  制御部
１０１  正解記憶部
１０２  正解登録部
１０３  解答抽出部
１０４  判定部
１０５  採点部
１０６  設定部
１０７  集計部
１０８  等級部
１０９  出力部
【図１】
2020068475.tif 000003
【図２】
2020068475.tif 000004
【図３】
2020068475.tif 000005
【図４】
2020068475.tif 000006
【図５】
2020068475.tif 000007
【図６】
2020068475.tif 000008
【図７】
2020068475.tif 000009
【図８】
2020068475.tif 000010
【図９】
2020068475.tif 000011
【図１０】
2020068475.tif 000012
【図１１】
2020068475.tif 000013